(57)【要約】【課題】一部を撤去し、既存部分と連続するように新たなコンクリート版を形成するコンクリート床版の補修方法において、新たなコンクリート版に有効にプレストレスを導入する。【解決手段】コンクリート床版１１に損傷が生じた部分を撤去する工程と、コンクリート床版を撤去した部分の橋桁１上に、両側の残存させる部分１１ａ，１１ｂとの間に空隙を設け、前記橋桁との相対的な変位を許容する状態で新たなコンクリート版２１を設置する工程と、新たなコンクリート版に、橋桁の軸線方向に配置した新たな緊張材２２の緊張力によってプレストレスを導入する工程と、新たなコンクリート版とコンクリート床版の残存させる部分１１ａ，１１ｂとの間の空隙にコンクリート２６又はモルタルを充填する工程と、コンクリート又はモルタルの硬化後、新たなコンクリート版にプレストレスを導入した緊張材２２の緊張力を解放する工程と、を含むものとする。【選択図】図５
2020200730.tif 000002
【特許請求の範囲】
【請求項１】
橋桁の上に形成されたコンクリート床版の補修方法であって、
前記橋桁の軸線方向に隣接する両側部分を残存させ、コンクリート床版の損傷が生じた部分を撤去する工程と、
コンクリート床版を撤去した部分の橋桁上に、両側の残存させる部分の少なくとも一方との間に空隙を設け、前記橋桁の軸線方向に該橋桁との相対的な変位を許容する状態で新たなコンクリート版を設置する工程と、
新たなコンクリート版に、橋桁の軸線方向に配置した緊張材の緊張力によってプレストレスを導入する工程と、
新たなコンクリート版とコンクリート床版の残存させる部分との間の空隙にコンクリート又はモルタルを充填する工程と、
前記コンクリート又はモルタルの硬化後、新たなコンクリート版にプレストレスを導入した緊張材の全部又は一部の緊張力を解放する工程と、を含むことを特徴とするコンクリート床版の補修方法。
【請求項２】
前記コンクリート床版は、コンクリートからなる複数のプレキャスト版を前記橋桁の軸線方向に配列したものであり、
前記新たなコンクリート版を設置する工程は、複数のプレキャスト版を配列し、連結するものであることを特徴とする請求項１に記載のコンクリート床版の補修方法。
【請求項３】
前記緊張材の緊張力を解放する工程は、該緊張材を切断するものであることを特徴とする請求項１又は請求項２に記載のコンクリート床版の補修方法。
【請求項４】
前記緊張材の緊張又は定着は、前記新たなコンクリート版に設けられた切り欠き内で行い、
前記緊張材の切断は、該緊張材の中間部が露出するように設けられた穴内で、前記切り欠き内に充填したコンクリート又はモルタルが硬化した後に行うことを特徴とする請求項３に記載のコンクリート床版の補修方法。
【発明の詳細な説明】
【技術分野】
【０００１】
本発明は、橋桁の上に形成され、該橋桁の軸線方向にプレストレスが導入されているコンクリート床版の補修方法に関するものである。
【背景技術】
【０００２】
鋼からなるプレートガーダーやトラス又はプレストレストコンクリートからなる橋桁の上に形成されたコンクリート床版であって、橋桁の軸線方向に緊張材を配置し、プレストレスを導入したものが多く採用されている。このようなコンクリート床版には、橋桁の上でコンクリートを打設して形成されるもの、橋桁の軸線方向に複数のプレキャスト版を配列し、プレストレスを導入してプレキャスト版が強固に一体となるように連結されたもの等がある。
【０００３】
このように形成されたコンクリート床版は、経年劣化等によって損傷が生じることがある。損傷が生じたコンクリート床版は、補修によって機能を回復することが必要となり、損傷した部分を撤去し、新たなコンクリート版を形成して補修することが行われている。このようにコンクリート床版の一部を撤去し、残存させる部分のプレストレスを維持した状態で新たなコンクリート版を形成する方法が特許文献１に記載されている。
この方法では、補修前に配置されている緊張材に中間定着具を装着し、残存させる部分のプレストレスを維持したまま、損傷部分を撤去する。そして、撤去した後に新たなコンクリート版を形成し、新たに配置した緊張材を残存させる部分の緊張材に接続して、新たなコンクリート版にプレストレスを導入するものとしている。
【先行技術文献】
【特許文献】
【０００４】
【特許文献１】特開２０１８−７６６５４号公報
【発明の概要】
【発明が解決しようとする課題】
【０００５】
しかしながら、上記従来の技術では、次のような解決が望まれる課題がある。
両側に残存させたコンクリート床版と連続するように新たなコンクリート版を形成し、プレストレスを導入しようとすると、充分なプレストレスが導入されない場合がある。
コンクリート床版は一般に橋桁に固定されている。このため、残存させた部分に配置されている緊張材と接続した緊張材又は残存させる部分に定着された緊張材を緊張して新たなコンクリート版にプレストレスを導入しようとすると、両側にあるコンクリート床版の残存させた部分の変位が橋桁によって拘束され、新たなコンクリート版に圧縮応力度が生じ難くなる。特に橋桁の剛性が大きいときに新たに形成されたコンクリート版にはプレストレスが導入され難い。
【０００６】
一方、新たに形成したコンクリート版が橋桁に拘束されない状態で、両端を新たなコンクリート版に定着する緊張材でプレストレスを導入すると、充分なプレストレスを導入することができる。しかし、新たなコンクリート版とコンクリート床版の残存させた部分との境界部にはプレストレスが導入されないことになる。
【０００７】
本発明は、上記のような事情に鑑みてなされたものであり、その目的は、コンクリート床版の一部を撤去し、両側に残存させた部分と連続するように形成した新たなコンクリート版に、有効にプレストレスを導入することができるコンクリート床版の補修方法を提供することである。
【課題を解決するための手段】
【０００８】
上記課題を解決するために、請求項１に係る発明は、  橋桁の上に形成されたコンクリート床版の補修方法であって、前記橋桁の軸線方向に隣接する両側部分を残存させ、コンクリート床版の損傷が生じた部分を撤去する工程と、  コンクリート床版を撤去した部分の橋桁上に、両側の残存させる部分の少なくとも一方との間に空隙を設け、前記橋桁の軸線方向に該橋桁との相対的な変位を許容する状態で新たなコンクリート版を設置する工程と、  新たなコンクリート版に、橋桁の軸線方向に配置した緊張材の緊張力によってプレストレスを導入する工程と、  新たなコンクリート版とコンクリート床版の残存させる部分との間の空隙にコンクリート又はモルタルを充填する工程と、  前記コンクリート又はモルタルの硬化後、新たなコンクリート版にプレストレスを導入した緊張材の全部又は一部の緊張力を解放する工程と、を含むコンクリート床版の補修方法を提供する。
【０００９】
新たなコンクリート版は、緊張材に緊張力を導入するときには橋桁の軸線方向への変位が許容されているのでプレストレスは有効に導入される。そして、コンクリート床版の残存させる部分と新たなコンクリート版との間をコンクリート又はモルタルで充填した後に緊張材の緊張力を解放すると、緊張力によって圧縮ひずみが生じていたコンクリート版は伸びを生じようと作用する。しかし、新たなコンクリート版の両端が残存させる部分によって伸びが拘束される。このため、緊張材の緊張力を解放してもプレストレスの一部が残留するとともに、新たに設置したコンクリート版の残存させた部分との境界部にまで圧縮力すなわちプレストレスが導入されることになる。したがって、残存させる部分から新たにコンクリート版を形成した部分にわたってプレストレスが導入された状態にコンクリート床版を補修することが可能となる。
【００１０】
請求項２に係る発明は、請求項１に記載のコンクリート床版の補修方法において、  前記コンクリート床版は、コンクリートからなる複数のプレキャスト版を前記橋桁の軸線方向に配列したものであり、  前記新たなコンクリート版を設置する工程は、複数のプレキャスト版を配列し、連結するものとする。
【００１１】
この補修方法では、コンクリート床版の損傷が生じた部分を撤去した後に、プレキャスト版を配列して迅速に新たなコンクリート版を形成することができる。したがって、補修の工期を短縮することができる。また、コンクリート床版の残存させる部分と補修によって形成した新たなコンクリート版とが同様の構造を有するものであり、損傷が生じる前に近い状態に補修される。
【００１２】
請求項３に係る発明は、請求項１又は請求項２に記載のコンクリート床版の補修方法において、  前記緊張材の緊張力を解放する工程は、該緊張材を切断するものとする。
【００１３】
この補修方法では、緊張材の緊張力を簡単にかつ迅速に解放することができる。一般に緊張力の解放は定着部において行うことができるが、緊張力による負荷が作用している状態では定着具を取り外すことができない。このため、ジャッキ等を用いて緊張材を再緊張し、定着具の負荷を解消した状態で取り外すことになるが、このような作業を行うことなく、効率の良い作業が可能となる。
【００１４】
請求項４に係る発明は、請求項３に記載のコンクリート床版の補修方法において、  前記緊張材の緊張又は定着は、前記新たなコンクリート版に設けられた切り欠き内で行い、  前記緊張材の切断は、該緊張材の中間部が露出するように設けられた穴内で、前記切り欠き内に充填したコンクリート又はモルタルが硬化した後に行うものとする。
【００１５】
この補修方法では、緊張材の緊張又は定着を新たなコンクリート版に設けられた切り欠き部内で行うことにより、コンクリート床版の下側に突出する定着用ブロックを設けることが不要となる。そして、緊張力が導入された緊張材を切断するときには、緊張材のひずみエネルギーが一気に解放されるが、定着部がコンクリート又はモルタルで埋め込まれた状態となっていることにより、安全に確実な緊張力の解放が可能となる。
【発明の効果】
【００１６】
以上説明したように、本発明のコンクリート床版の補修方法では、一部を撤去して両側に残存させた部分と連続するように新たなコンクリート版を形成し、有効にプレストレスを導入することができる。
【図面の簡単な説明】
【００１７】
【図１】本発明の補修方法を適用することができるコンクリート床版の一例を示す概略斜視図である。
【図２】本発明の一実施形態であるコンクリート床版の補修方法を示す概略図である。
【図３】本発明の一実施形態であるコンクリート床版の補修方法の工程を示す概略断面図である。
【図４】本発明の一実施形態であるコンクリート床版の補修方法の工程を示す概略断面図である。
【図５】本発明の一実施形態であるコンクリート床版の補修方法の工程を示す概略断面図である。
【図６】本発明の他の実施形態であるコンクリート床版の補修方法の工程を示す概略断面図である。
【図７】本発明の他の実施形態であるコンクリート床版の補修方法の工程を示す概略断面図である。
【図８】本発明の他の実施形態であるコンクリート床版の補修方法の工程を示す概略断面図である。
【図９】補修のために形成された新たなコンクリート版にプレストレスを導入する方法であって、本発明のコンクリート床版の補修方法と合わせて採用することができる方法を示す概略断面図である。
【図１０】本発明のコンクリート床版の補修方法で用いることができる中間定着具の一例を示す側面図及び正面図である。
【図１１】コンクリート床版の残存させる部分のプレストレスを維持する方法であって、本発明のコンクリート床版の補修方法で採用することができる方法の他の例を示す概略断面図である。
【発明を実施するための形態】
【００１８】
以下、本発明の実施の形態を図に基づいて説明する。
図１は、本発明の補修方法を適用することができるコンクリート床版の一例を示す概略斜視図である。
このコンクリート床版１１は道路橋に用いられたものであり、複数の鋼桁４を組み合わせた橋桁１上にプレキャスト版１０を配列し、これらを連結するとともに橋桁１に固定しものである。そして、それぞれのプレキャスト版１０には橋桁１の軸線方向に複数のダクト１２が設けられており、これらに挿通した緊張材を緊張及び定着することによってコンクリート床版１１には橋桁１の軸線方向のプレストレスが導入されている。
【００１９】
上記橋桁１は、複数の鋼桁４を平行に架け渡し、これらを横桁５で連結したものであり、それぞれの鋼桁４は、上フランジ６と下フランジ７とこれらを上下に連結するウェブ８とを有するものである。上フランジ６の上面にはプレキャスト版１０を固定するためのずれ止め部材９が設けられている。
【００２０】
プレキャスト版１０は、あらかじめ工場又は製作ヤード等においてコンクリートを打設し、形成されたものであり、橋桁１の軸線方向に所定の寸法となっている。また、橋桁の軸線と直角方向には道路の幅と対応した寸法となっている。これらのプレキャスト版１０には、橋桁上でコンクリート床版１１とされたときに作用する輪荷重等に耐え得るように鉄筋が配置されている。また、橋桁１の軸線と直角方向にプレストレスが導入されたものであってもよく、プレストレスはプレテンション方式又はポストテンション方式のいずれによって導入されたものであってもよい。
【００２１】
これらのプレキャスト版１０が橋桁上で該橋桁の軸線方向に配列され、連結されるとともにずれ止め部材９で鋼桁４に固定されている。隣り合うプレキャスト版は合成樹脂系の接着剤等によって結合されるものであってもよいし、１０ｍｍ〜４０ｍｍ程度の隙間をおいてプレキャスト版を配列し、これらの間に無収縮モルタルを充填して結合されるものであってもよい。
【００２２】
図２は、本発明の一実施形態であるコンクリート床版の補修方法を示す概略図である。
この補修方法は、図２（ａ）に示すように、コンクリート床版１１の損傷が生じた部分Ａを含むプレキャスト版１０ａを撤去し、図２（ｂ）に示すように新たなプレキャスト版２０に取り替えることによって修復するものである。このコンクリート床版１１は橋桁の軸線方向にプレストレスが導入されており、橋桁の軸線方向における撤去する部分の両側で隣接する部分は残存させ、残存させる部分のプレストレスは維持する。
【００２３】
既存のコンクリート床版にプレストレスを導入する緊張材１３は、図２（ａ）に示すように複数のプレキャスト版にわたって連続するように配置されている。そして、緊張力を導入して定着具１４により定着された端部Ｂには接続具１５を介して他の緊張材１３ａが接続されている。他の緊張材１３ａは、隣接する位置に配置されたプレキャスト版１０ｂにプレストレスを導入するものである。
本実施の形態で、損傷が生じて取り替えるプレキャスト版は緊張材１３の定着された端部Ｂ及び緊張材１３が他の緊張材１３ｂと接続具１５を介して接続された端部Ｃから離れた領域にあるものとする。
なお、取り替えるプレキャスト版１０ａは１つであってもよいが、本発明の補修方法は複数のプレキャスト版を取り替える補修に適用するのが望ましい。
【００２４】
図２に示すコンクリート床版１１の補修方法は、次のような工程で行うことができる。
図３（ａ）に示すように、取り替えるプレキャスト版１０ａが配列された領域の両端部で、残存させる部分１１ａ，１１ｂとの境界部におけるプレキャスト版１０ａの一部をはつり、緊張材１３を露出させる。そして、緊張材１３に中間定着具１６を装着する。この中間定着具１６は後述するように、緊張材１３の緊張力がコンクリート床版の残存させる部分１１ａ，１１ｂに伝達されるように残存させる部分１１ａ，１１ｂとの間にモルタル１７が充填されるものである。
【００２５】
中間定着具１６は、例えば図１０に示すものを用いることができる。
この中間定着具１６は、２つの鋼ブロック３１ａ，３１ｂと、これらを結合する複数のボルト３２と、緊張材に装着されるくさび３３とを有するものである。鋼ブロック３１ａ，３１ｂには、それぞれ溝状の凹部が形成されており、二つの鋼ブロック３１ａ，３１ｂを密接し、ボルト３２で結合したときに双方の凹部が貫通孔を形成するようになっている。形成された貫通孔は、一方の端部で開口に向かって径が拡大するものであり、この拡径部にくさび３３を装着することができるものである。このような鋼ブロック３１ａ，３１ｂは、プレキャスト版１０ａをはつることによって、緊張力が導入されたままの状態で露出された緊張材１３の両側から凹部に該緊張材が収容されるように当接して、ボルトによって結合する。そして、鋼プレート３４とモルタル１７によってコンクリート床版の残存させる部分１１ａに緊張力の伝達が可能に固着することができる。くさび３３は、２つの鋼ブロック３１ａ，３１ｂで形成された貫通孔の拡径部で、貫通孔の内周面と緊張材１３との間に押し入れることにより、緊張材１３を定着することが可能な状態となる。
【００２６】
中間定着具１６が装着された状態で、図３（ｂ）に示すように取り替えるプレキャスト版１０ａを撤去するとともに、この部分の緊張材１３を切断する。切断することによって緊張材１３の緊張力は、プレキャスト版１０ａを撤去した領域の両側でコンクリート床版の残存させる部分１１ａ，１１ｂにそれぞれ定着され、コンクリート床版の残存させる部分のプレストレスは維持される。
なお、このように既設の緊張材１３に中間定着具１６を装着し、コンクリート床版１１の残存する部分への定着、切断する作業は、鋼桁４の軸線方向に配置された全ての既設の緊張材１３について行う。
【００２７】
損傷が生じたプレキャスト版１０ａを撤去した後には、図４に示すように新たに製作したプレキャスト版２０を配置する。これらのプレキャスト版２０の間にはモルタル等を充填して連続するものとし、コンクリート床版の残存させた部分１１ａ，１１ｂとの間には、隙間２３を設けておく。また、これらのプレキャスト版２０には、残存させる部分１１ａ，１１ｂと隣接する位置に切り欠き２４を設けるとともに、新たなプレキャスト版２０の全てを橋桁の軸線方向に貫通する複数のダクトを設けておき、これらのダクトが上記切り欠き２４内で開口するものとする。これらのダクトに新たな緊張材２２を挿通し、図４中の矢印ａで示すように緊張力を導入して両端部を切り欠き２４内で新たなプレキャスト版２０に定着する。このように新たな緊張材２２によって図４中の矢印ｂで示すように圧縮力が作用するとともに複数の新たなプレキャスト版２０が連結され、新たなコンクリート版２１を形成することができる。
なお、このときプレキャスト版２０は橋桁１に固定せずに橋桁１の軸線方向の変位が拘束されない状態、つまり橋桁１とプレキャスト版２０との相対的な変位が拘束されない状態としておく。
【００２８】
新たなコンクリート版２１にプレストレスが導入された後、図５（ａ）に示すようにコンクリート床版の残存させた部分１１ａ，１１ｂと新たなコンクリート版２１との境界部で、双方間の隙間２３にモルタルを充填し、双方が連続するものとする。また、新たな緊張材２２が定着された切り欠き２４内にも、モルタル又はコンクリート２６を充填し、上面を残存するコンクリート床版と連続する平坦な面に仕上げる。そして、モルタル又はコンクリートが硬化した後、コンクリート版２１に配置されている新たな緊張材２２の緊張力を解放する。
【００２９】
緊張力の解放は、図５（ｂ）に示すように、新たな緊張材２２の中間部分で該緊張材が露出するように設けられた穴２５内で、新たな緊張材２２を切断することによって行うことができる。
新たなコンクリート版２１に定着された緊張材２２の緊張力により、コンクリート版２１には圧縮ひずみが生じており、新たな緊張材２２の緊張力を解放することによって、図５（ｂ）中に矢印ｃで示すようにコンクリート床版の圧縮ひずみを解消するように挙動する。しかし、新たなコンクリート版２１の両端がコンクリート床版の残存させた部分１１ａ，１１ｂによって拘束される。これにより、新たなコンクリート版２１に導入された圧縮力の一部が残留するともに、新たなコンクリート版と残存させた部分１１ａ，１１ｂとの境界にプレストレスが導入される。
その後、新たなコンクリート版２１は鋼桁４に取り付けたスタッドジベル等によって橋桁１に固定する。
なお、緊張力の解放は新たな緊張材２２の全てについて行うものであってもよいし、新たな緊張材２２の一部については緊張力を解放することなくそのまま残存させるものであってもよい。
【００３０】
図６は、本発明の他の実施形態であるコンクリート床版の補修方法を示す概略断面図である。
この補修方法でも、損傷が生じたプレキャスト版１０ａの撤去は図３から図５までに示す実施の形態と同様に行うことができる。一方、この実施の形態では、図６に示すように新たなプレキャスト版４０には、配列される領域の両端部に緊張材の定着用ブロック４３が設けられている。これらの定着用ブロック４３はプレキャスト版の下面から下方に突き出したものであり、新たに設置されたプレキャスト版４０の全てに及ぶように設けられたダクトの両端が、これらの定着用ブロック４３で開口している。したがって、図６（ａ）に示すように新たに設置するプレキャスト版４０の全てを配列したのち、定着用ブロック４３で開口したダクト内に新たな緊張材４２を挿入することができる。そして、プレキャスト版の下側での作業により緊張力を導入して両端を定着用ブロック４３に定着することができる。
【００３１】
新たなプレキャスト版４０にプレストレスを導入してこれらが一体となった新たなコンクリート版４１とした後、コンクリート床版の残存させた部分１１ａ，１１ｂと新たなコンクリート版４１との間隙にモルタル４４を充填し、硬化してこれらが連続するものとした後、新たな緊張材４２の緊張力を解放する。緊張力の解放は定着用ブロック４３に定着された緊張材４２の端部を、ジャッキ等を用いて再緊張し、定着具４５の負荷を解消した状態で定着具４５を取り外すことによって行うことができる。
この補修方法では、補修したコンクリート床版の上面に現れる切り欠きを低減して、補修後のコンクリート床版の仕上がりを良好なものにすることができるとともに、緊張力を解放した緊張材４２を撤去することができる。
【００３２】
図７は、本発明の他の実施形態であるコンクリート床版の補修方法であって、新たに形成されたコンクリート版５１に配置する緊張材５２を既存の緊張材１３に接続して用いる例を示すものである。
この方法では、損傷が生じたプレキャスト版を撤去した後、新たなプレキャスト版５０を配列し、モルタルの充填によって新たなプレキャスト版５０が連続するコンクリート版５１を形成する。このコンクリート版５１には、新たな緊張材を定着するための定着用ブロック５５が設けられている。そして、新たなプレキャスト版の全てに及ぶダクトがこの定着用ブロック５５で開口している。新たな緊張材５２は、図７（ａ）中の矢印ｄで示すようにダクト内に挿入し、一端をコンクリート床版の残存させた部分１１ｂに配置されている既存の緊張材１３と接続具５３を介して接続する。既存の緊張材１３は、残存させた部分１１ｂに中間定着具１６を介して定着されているものである。既存の緊張材１３に接続された新たな緊張材５２の他端は定着用ブロック５５に設けられたダクトの開口から突き出している。
【００３３】
新たな緊張材５２が接続された既存の緊張材１３が配置されている残存部分１１ｂと新たに形成されたコンクリート版５１との間は、図７（ｂ）に示すようにモルタル又はコンクリート５４の充填によって連続するものとする。そして、モルタル又はコンクリート５４が硬化した後、定着用ブロック５５から突き出している新たな緊張材５２に緊張力を導入し、定着用ブロック５５に定着する。このとき、新たなプレキャスト版５０によって形成されたコンクリート版５１は橋桁１に固定されておらず、橋桁に拘束されることなく新たな緊張材５２の緊張力によって圧縮変形が生じる。
【００３４】
このように新たな緊張材５２に緊張力を導入することにより、新たなコンクリート版５１にプレストレスが導入されるとともに、コンクリート床版の残存させた部分１１ｂとの境界までプレストレスが導入される。
【００３５】
新たな緊張材５２に緊張力を導入した後、図８（ａ）に示すようにコンクリート床版の残存させた部分の他方１１ａと新たなコンクリート版５１との間にモルタル又はコンクリート５６を充填する。充填したモルタル又はコンクリート５６が硬化することにより、新たなコンクリート版５１とコンクリート床版の残存させた部分１１ａとが連続するものとなり、その後に新たな緊張材５２の緊張力を解放する。緊張力の解放により新たなコンクリート版５１は、緊張力によって生じていた圧縮ひずみを解消しようと挙動するが、コンクリート床版の残存させた部分１１ａ，１１ｂに拘束され、プレストレスの一部が残留するとともに、新たな緊張材５２の緊張後に連続するものとなった残存部分１１ａとの境界までプレストレスが導入される。その後、新たなプレキャスト版５０で形成されたコンクリート版５１を橋桁１に固定する。
【００３６】
なお、図７及び図８（ａ）に示す実施の形態では、新たな緊張材５２は新たなプレキャスト版５０の一つに予め設けた定着用ブロック５５に定着するものであるが、図８（ｂ）に示すように新たなプレキャスト版５０に切り欠き５７を設けておき、これらの切り欠き５７内で新たな緊張材５８の緊張及び定着を行うこともできる。このように緊張及び定着を行うときには、図３ａから図５までに示す実施の形態と同様に、新たな緊張材５８に緊張力を導入した後、定着部分を埋め込むようにコンクリートを充填する。そして、充填したコンクリートが硬化した後に緊張材５８を、予め設けた穴５９内で切断することによって緊張力を解放することができる。
【００３７】
本発明の補修方法は、以上に説明した方法で新たなコンクリート版にプレストレスを導入するのに加えて、図９に示すような方法でプレストレスを導入することができる。
この方法では、損傷した部分のプレキャスト版１０ａを撤去した後に配列する新たなプレキャスト版６０の２ヶ所に定着用ブロック６３ａ，６３ｂを設けておく。そして、図９（ａ）に示すように、これらの定着用ブロック６３ａ，６３ｂに開口するダクト内にそれぞれ新たな緊張材６２ａ，６２ｂを挿入し、先端を既存の緊張材１３に接続具６４ａ，６４ｂを介して接続する。
【００３８】
新たなプレキャスト版６０を連結して形成されたコンクリート版６１と両側で隣接する残存する部分１１ａ，１１ｂとの間には、図９（ｂ）に示すようにモルタル又はコンクリート６５を充填する。そして、モルタル又はコンクリート６５が硬化して連続するものとした後に、新たな緊張材６２ａ，６２ｂに緊張力を導入し、新たなコンクリート版６１にプレストレスを導入する。
このような方法を本発明の補修方法で採用する方法と併用することによって新たなコンクリート版６１に充分なプレストレスを導入することができる。
【００３９】
以上に説明した実施の形態では、コンクリート床版の残存させる部分に配置されている緊張材１３は、図１０に示すような中間定着具１６を用いて定着するものであるが、損傷が生じて撤去する部分が、既存の緊張材１３の定着及び接続がなされている位置に隣接するときには、上記中間定着具１６を設けるのに代えて、既存の定着具又は接続具を利用することができる。
例えば、図１１（ａ）に示すようにプレキャスト版１０の端部で既存の緊張材１３ｃが定着具１４によって定着され、接続具１５によって他の既存の緊張材１３ｄと接続されているときに、定着具１４又は接続具１５によってコンクリート床版の残存させる部分のプレストレスを維持することができる。
【００４０】
図１１（ｂ）に示すように、既存の緊張材１３ｃが定着具１４によって定着されている部分１１ｂを残存させ、これに隣接するプレキャスト版１０ｃを撤去して取り替えるときには、定着具１４及び接続具１５が設けられている部分のコンクリート床版をはつり、これらを露出させる。そして、図１１（ｂ）に示すように定着具１４を維持したまま撤去する側の緊張材１３ｄを接続具１５とともに取り外す。
また、図１１（ｃ）に示すように、接続具１５で接続された緊張材１３ｄが配置されている部分１１ａを残存させ、これに隣接するプレキャスト版１０ｄを撤去するときには、接続具１５に支圧板１８を当接させるとともに支圧板１８と残存させる部分１１ａのプレキャスト版との間にモルタル１９又はコンクリートを充填し、緊張材の緊張力が残存させる部分１１ａに定着される状態とする。その後に撤去する部分に配置された緊張材１３ｃを切断し、接続具１５から取り外すことによってコンクリート床版の残存させる部分１１ａのプレストレスを維持することができる。
【００４１】
以上に説明した実施の形態では、補修するコンクリート床版がプレキャスト版を配列して形成されたものとなっているが、これに限らず場所打ちコンクリートで形成されたコンクリート床版についても、同様に補修することができる。また、プレキャスト版を配列して形成されたコンクリート床版も、損傷が生じたプレキャスト版を撤去した後に、場所打ちコンクリートを打設して補修するものであってもよい。このときには、損傷が生じたプレキャスト版を撤去した後、新たな緊張材を挿通することができるシースを配置しておき、これを埋め込むようにコンクリートを打設する。新たな緊張材は、コンクリートの打設前又は打設後にシース内に挿入し、コンクリートが硬化した後に緊張力を導入することができる。
また、その他の事項に関しても、本発明は実施の形態として以上に説明した内容に限られるものではなく、本発明の範囲内で適宜に変更して実施することができるものである。
【符号の説明】
【００４２】
１：橋桁，  ４：鋼桁，  ５：横桁，  ６：上フランジ，  ７：下フランジ，  ８：ウェブ，  ９：ずれ止め部材，
１０：プレキャスト版，  １１：コンクリート床版，  １１ａ，１１ｂ：コンクリート床版の残存させる部分，  １２：ダクト，  １３：緊張材，  １４：定着具，  １５：接続具，  １６：中間定着具，  １７：モルタル，  １８：支圧版，  １９：モルタル，
２０：新たなプレキャスト版，  ２１：新たに形成されるコンクリート版，  ２２：新たな緊張材，  ２３：隙間，  ２４：切り欠き，  ２５：新たなコンクリート版に設けられた穴，  ２６：コンクリート，
３１ａ，３１ｂ：鋼ブロック，  ３２：ボルト，  ３３：くさび，  ３４：鋼プレート，
４０：新たなプレキャスト版，  ４１：新たに形成されるコンクリート版，  ４２：新たな緊張材，  ４３：定着用ブロック，  ４４：モルタル，  ４５：定着具，
５０：新たなプレキャスト版，  ５１：新たに形成されるコンクリート版，  ５２：新たな緊張材，  ５３：接続具，  ５４：コンクリート，  ５５：定着用ブロック，  ５６：コンクリート，  ５７：切り欠き，  ５８：新たな緊張材，  ５９：緊張材を切断するための穴，
６０：新たなプレキャスト版，  ６１：新たに形成されるコンクリート版，  ６２ａ，６２ｂ：新たな緊張材，  ６３ａ，６３ｂ：定着用ブロック，  ６４ａ，６４ｂ：接続具，  ６５：コンクリート
【図１】
2020200730.tif 000003
【図２】
2020200730.tif 000004
【図３】
2020200730.tif 000005
【図４】
2020200730.tif 000006
【図５】
2020200730.tif 000007
【図６】
2020200730.tif 000008
【図７】
2020200730.tif 000009
【図８】
2020200730.tif 000010
【図９】
2020200730.tif 000011
【図１０】
2020200730.tif 000012
【図１１】
2020200730.tif 000013